(57)【要約】【課題】イベント会場等に設置されたカメラにおいて取得した画像データを画像受信装置に送信するに際し、不特定多数の画像受信装置のユーザがカメラが撮影した画像を楽しめるようにする。【解決手段】劇場やテーマパークのショー会場のようなイベント会場１に定点カメラ２を設置して、壇上１Ａのシーンを撮影して画像データＳ０を得る。画像データＳ０は無線ＬＡＮにより画像サーバ５２に送信され、ここから、イベント会場１の入場者が所持するデジタルカメラ３に無線ＬＡＮにより送信される。デジタルカメラ３においては受信した画像データＳ０が表示される。そして、画像の撮影時と同様にレリーズボタンを押下すると、所望とするシーンがキャプチャされて、そのシーンを表す画像データがデジタルカメラ３に記憶される。【選択図】　　　　　図１
2004064424.tif 000002
【特許請求の範囲】
【請求項１】
撮像により画像データを取得する撮像手段と、
特定エリア内においてのみ無線により通信可能なインフラを介して前記画像データを不特定多数の画像受信装置に送信する通信手段とを備え、
前記特定エリア内の所定位置に設置されることを特徴とする撮像装置。
【請求項２】
請求項１記載の撮像装置から送信された前記画像データを送信画像データとして受信する通信手段と、
前記送信画像データを表示する表示手段とを備えたことを特徴とする画像受信装置。
【請求項３】
撮像により撮像画像データを取得する撮像手段と、
該撮像手段において取得された前記撮像画像データを記憶する画像記憶手段と、
前記撮像手段および前記画像記憶手段を操作する操作手段とをさらに備えたことを特徴とする請求項２記載の画像受信装置。
【請求項４】
前記画像記憶手段は、前記操作手段による画像撮影操作により、前記送信画像データを記憶する手段であることを特徴とする請求項３記載の画像受信装置。
【請求項５】
前記操作手段の操作に基づいて、前記撮像画像データおよび前記送信画像データに対して電子変倍操作を行う電子変倍手段をさらに備え、
前記画像記憶手段は、前記電子変倍手段により電子変倍された前記撮像画像データおよび前記送信画像データを記憶する手段であることを特徴とする請求項３または４記載の画像受信装置。
【請求項６】
前記通信手段は、該通信手段とのみ通信を行い、前記操作手段の操作に基づいて操作される操作対象撮像装置から送信された画像データを前記送信画像データとして受信する手段であることを特徴とする請求項２から５のいずれか１項記載の画像受信装置。
【請求項７】
請求項１記載の撮像装置から送信された送信画像データおよび前記操作対象撮像装置から送信された送信画像データのいずれを受信するかを切り換える切り換え手段をさらに備えたことを特徴とする請求項６記載の画像受信装置。
【請求項８】
少なくとも１つの請求項１記載の撮像装置と、少なくとも１つの請求項２から７のいずれか１項記載の画像受信装置とを備えたことを特徴とする撮像システム。
【発明の詳細な説明】
【０００１】
【発明の属する技術分野】
本発明は、劇場等の特定エリア内に設置されて撮像を行うことにより画像データを取得する撮像装置、この撮像装置において得られた画像データを受信する画像受信装置並びに撮像装置および画像受信装置からなる撮像システムに関するものである。
【０００２】
【従来の技術】
デジタルスチルカメラやデジタルビデオカメラの普及により、撮影が許可されている劇場やテーマパークにおいて行われるショー等のイベントを撮像する機会が多くなってきている。このようなイベントの撮影を行うことにより、後で画像を見た際に、そのイベントの登場人物や周りの雰囲気により、イベント時における感動シーンを思い出すことができる。とくに、幼児向けのイベントについては、後で子供が見た際に非常に喜ぶため、撮影者とくに父親は、できるだけよい撮影場所を確保し、イベント中もカメラから目を離すことなく、撮影を行うことが常である。
【０００３】
【発明が解決しようとする課題】
しかしながら、よい撮影場所を確保するには、イベントが始まる何時間も前からイベントの開始を待つ必要がある。また、よい撮影場所を確保したとしても、前列に人がいるとどうしてもその人が邪魔になる場合がある。このような場合、立ち上がって撮影を行うことが考えられるが、立ち上がると後の人の迷惑となる。一方、光学倍率が高いカメラを使用して後方から撮影を行うことが考えられるが、必ずしもよいアングルにて撮影できるわけではなく、後で画像を見たときに後悔することが多い。
【０００４】
このため、外部のカメラにおいて撮影を行って画像データを取得し、取得された画像データを外部のカメラから離れた場所にいるユーザが有するデジタルカメラに送信して、デジタルカメラにおいて画像を表示する方法が提案されている（特開２００１−１６３４４号公報）。この方法においては、デジタルカメラにより外部のカメラのパンやチルト等の操作を行うことが可能であり、所望とするシーンの画像をデジタルカメラに表示することができる。
【０００５】
また、複数のクライアントに画像データを送信するカメラにおいて、カメラの制御権を有するクライアントには撮像中の画像データを送信し、制御権を有さないクライアントには予め記憶した画像データを送信するようにした方法も提案されている（特開２０００−２７８５８３号公報）。
【０００６】
しかしながら、特開２００１−１６３４４号公報に記載された方法においては、イベント会場のように不特定多数の撮影者がいる場所において、カメラの操作を個々の撮影者が行えるようにすることは不可能であり、その結果、全ての撮影者が満足するシーンをデジタルカメラに表示することは困難であった。
【０００７】
また、特開２０００−２７８５８３号公報に記載された方法では、制御権がない撮影者には予め記憶された画像データしか送信されないため、イベント中において全ての撮影者が所望とするシーンを楽しむことができないという問題がある。
【０００８】
本発明は上記事情に鑑みなされたものであり、不特定対数の撮影者がイベントの画像を楽しめるようにすることを目的とする。
【０００９】
【課題を解決するための手段】
本発明による撮像装置は、撮像により画像データを取得する撮像手段と、
特定エリア内においてのみ無線により通信可能なインフラを介して前記画像データを不特定多数の画像受信装置に送信する通信手段とを備え、
前記特定エリア内の所定位置に設置されることを特徴とするものである。
【００１０】
本発明による画像受信装置は、本発明による撮像装置から送信された前記画像データを送信画像データとして受信する通信手段と、
前記通信手段により受信された前記送信画像データを表示する表示手段とを備えたことを特徴とするものである。
【００１１】
「特定エリア」とは、劇場内やテーマパークのショーの会場内等、イベントを観ることができる会場内が挙げられる。
【００１２】
「所定位置」としては、イベントを撮影可能な位置であればよいが、会場内の通路や天井のように視界が開けており、何者にも邪魔されることなくイベントを撮影可能な位置であることが好ましい。また、イベントのみではなく、イベントを観ている人々を撮影することが可能な位置であってもよい。
【００１３】
「無線により通信可能なインフラ」としては、例えば無線ＬＡＮを用いることができる。この場合、本発明による撮像装置および画像受信装置が有する通信手段は、無線ＬＡＮによりデータ通信を行う手段とされる。なお、無線ＬＡＮのデータ転送速度としては８〜１１ＭＢ以上のものを想定している。
【００１４】
無線ＬＡＮによるデータ通信を行う手段（以下無線ＬＡＮ通信手段とする）は、例えば、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ：米国電気電子技術者協会）において標準化された規格に準拠したものが用いられる。より具体的には、ＩＥＥＥ８０２．１１ａ、ＩＥＥＥ８０２．１１ｂ等の規格に準拠したものを用いることが好ましい。ＩＥＥＥ８０２．１１ｂは、２．４ＧＨｚ帯を使用し、最大１１Ｍｂｐｓの転送速度を規格化した現在主流のものである。ＩＥＥＥ８０２．１１ａは、５．０ＧＨｚ帯を使用し、最大５４Ｍｂｐｓの転送速度を規格化したものである。なお、２．４ＧＨｚ帯を使用し、最大５４Ｍｂｐｓの転送速度を規格化したＩＥＥＥ８０２．１１ｇも提案されている。
【００１５】
無線ＬＡＮによるデータ通信を行うには認証情報が必要となる。認証情報としては、ＥＳＳ−ＩＤを用いることができる。ＥＳＳ−ＩＤとは、無線ＬＡＮの国際標準規格ＩＥＥＥ８０２．１１が採用するＩＤであり、固定した相手先との接続を確立させるために必要な認証情報である。ＥＳＳ−ＩＤは、撮像装置の通信手段と画像受信装置の通信手段とで同一のものが用いられる。このＥＳＳ−ＩＤは、大文字／小文字の識別が可能であり、半角３２文字以下により構成される。具体的には、ＥＳＳ−ＩＤとしてＭＡＣアドレス（Ｍｅｄｉａ　Ａｃｃｅｓｓ　Ｃｏｎｔｒｏｌ　Ａｄｄｒｅｓｓ）を用いることができる。
【００１６】
ここで、無線ＬＡＮによるデータ通信を行う場合、ＷＥＰ（Ｗｉｒｅｄ　ＥｑｕｉｖａｌｅｎｔＰｒｉｖａｃｙ）を設定することが好ましい。ＷＥＰは、無線パケットに暗号化キーを設定することにより、セキュリティを強化する機能である。このようにＷＥＰを設定した場合においては、撮像装置の通信手段において設定したＷＥＰと画像受信装置の通信手段において設定したＷＥＰとが一致した場合にのみ、通信が確立される。
【００１７】
なお、本発明による画像受信装置においては、撮像により撮像画像データを取得する撮像手段と、
該撮像手段において取得された前記撮像画像データを記憶する画像記憶手段と、
前記撮像手段および前記画像記憶手段を操作する操作手段とをさらに備えるものとしてもよい。
【００１８】
この場合、記画像記憶手段を、前記操作手段による画像撮影操作により、前記送信画像データを記憶する手段としてもよい。
【００１９】
「操作手段」は、シャッタを駆動して撮像を行い、これにより得られる画像データを画像記憶手段に記憶したり、撮像手段が光学的変倍手段を有する場合に変倍操作を行ったり、後述するように画像データの電子変倍操作を行う、レリーズボタンや十字キー等の手段である。なお、操作手段の操作により、撮像装置から送信される画像データをそのまま動画を表す画像データとして画像記憶手段に記憶してもよく、１シーンをキャプチャして静止画像を表す画像データとして画像記憶手段に記憶してもよい。
【００２０】
また、本発明による画像受信装置においては、前記操作手段の操作に基づいて、前記撮像画像データおよび前記送信画像データに対して電子変倍操作を行う電子変倍手段をさらに備えるものとし、
前記画像記憶手段を、前記電子変倍手段により電子変倍された前記撮像画像データおよび前記送信画像データを記憶する手段としてもよい。
【００２１】
また、操作対象撮像装置が光学変倍操作を可能なものである場合、操作手段の操作に基づいて操作対象撮像装置の光学変倍操作を行うようにしてもよい。
【００２２】
また、本発明による画像受信装置においては、前記通信手段を、該通信手段とのみ通信を行い、前記操作手段の操作に基づいて操作される操作対象撮像装置から送信された画像データを前記送信画像データとして受信する手段としてもよい。
【００２３】
この場合、本発明の撮像装置から送信された送信画像データおよび前記操作対象撮像装置から送信された送信画像データのいずれを受信するかを切り換える切り換え手段をさらに備えるものとしてもよい。
【００２４】
本発明による撮像システムは、少なくとも１つの本発明による撮像装置と、少なくとも１つの本発明による画像受信装置とを備えたことを特徴とするものである。
【００２５】
【発明の効果】
本発明によれば、撮像装置の撮像手段により撮像された画像データは、特定エリア内においてのみ無線により通信可能なインフラを介して、不特定多数のユーザが所有する画像受信装置に送信される。このため、受信した画像データを表示することにより、特定エリア内の所定位置において撮影された画像を不特定多数のユーザが楽しむことができる。
【００２６】
また、撮像手段と画像記憶手段とを備えたデジタルカメラやデジタルビデオカメラ等の撮像装置を画像受信装置として用いることができる。この場合、撮像手段および画像記憶手段を操作する操作手段の画像撮影操作によって、受信した画像データの画像記憶手段への記憶を行うことにより、撮影時と同様の操作により、特定エリア内の所定値に設置された撮像装置から送信された画像データを、画像受信装置の画像記憶手段に記憶することができる。
【００２７】
また、電子変倍操作を行う電子変倍手段を備えるものとし、撮像画像データや送信画像データの電子変倍操作を行い、電子変倍された撮像画像データや送信画像データを画像記憶手段に記憶することにより、撮影者が所望とする倍率の撮像画像データおよび送信画像データを画像記憶手段に記憶することができる。
【００２８】
また、通信手段とのみ通信を行い、操作手段の操作に基づいて操作される操作対象撮像装置から送信された画像データを送信画像データとして受信することにより、操作対象撮像装置の操作を行って所望とするアングルにより送信画像データを取得し，これを画像記憶手段に記憶することができる。
【００２９】
この場合、本発明による撮像装置から送信された送信画像データおよび操作対象撮像装置から送信された送信画像データのいずれを受信するかを切り換えるようにすれば、臨機応変に送信画像データの受信を行って、送信画像データを画像記憶手段に記憶することができる。
【００３０】
【発明の実施の形態】
以下図面を参照して本発明の実施形態について説明する。図１は本発明の実施形態による撮像システムの構成を示す概略ブロック図である。図１に示すように、本発明の実施形態による撮像システムは、劇場やテーマパークのショー会場のようなイベント会場１に設置されるものであり、壇上１Ａにおいて行われるイベントの撮影を行うべく、イベント会場１の天井に設置された定点カメラ２においてイベントを撮像して画像データＳ０を取得し、これを客席１Ｂにおいてイベントを観るユーザが有するデジタルカメラ３に送信して、デジタルカメラ３において画像データＳ０を表示するようにしたものである。
【００３１】
このため、イベント会場１には、定点カメラ２から送信された画像データＳ０を受信する無線ＬＡＮ通信機器５１、画像データＳ０を一時的に記憶する画像サーバ５２および画像データＳ０をデジタルカメラ３に送信する無線ＬＡＮ通信機器５３からなる無線ＬＡＮ通信システム５０が設置されている。なお、無線ＬＡＮ通信機器５１，５３および画像サーバ５２は有線ＬＡＮにより接続されている。
【００３２】
なお、無線ＬＡＮ通信機器５１，５３としては、例えばＢＵＦＦＡＬＯ製のＡｉｒｓｔａｔｉｏｎ　ＷＬＡ−Ｌ１１Ｇを用いることができる。この無線ＬＡＮ通信機器５１，５３は、有線ＬＡＮと無線ＬＡＮとの間の通信が可能であり、ＩＥＥＥ８０２．１１ｂの規格に準拠しており、無線上で１１Ｍｂｐｓの通信が可能なものである。また、Ｗｉ−Ｆｉ（ｔｈｅ　ｓｔａｎｄａｒｄ　ｆｏｒ　Ｗｉｒｅｌｅｓｓ　Ｆｉｄｅｌｉｔｙ）認定済みであるため、Ｗｉ−Ｆｉに対応する種々の製品との通信が可能となっている。また、障害物の少ないオフィスでは５０ｍ、障害物の多いオフィスでは２５ｍ、屋外では１６０ｍ（見通し）の範囲での無線ＬＡＮによる通信が可能となっている。さらに、ローミング機能に対応しているため、デジタルカメラ３のユーザが移動していても通信を行うことができる。さらに、ネットワーク負荷を軽減する多チャンネル（１４ｃｈ）機能を搭載しており、さらにＭＡＣアドレス登録機能、ＷＥＰによるセキュリティ機能を有する。
【００３３】
ＭＡＣアドレスは、ネットワーク機器毎の固有の物理アドレスであり、先頭３バイトはベンダーコードであって、ＩＥＥＥが管理および割り当てを行っている。残り３バイトはユーザコードであり、ネットワーク機器の製造メーカが独自の番号で管理および割り当てを行っている。また、ＭＡＣアドレスには重複はなく、６バイトのデータにより、ユニークな物理アドレスが割り当てられている。また、ＭＡＣアドレスは６バイトで表されるため、理論上は１７０万個までのネットワーク機器をＷｉ−Ｆｉ規格により識別可能となっている。
【００３４】
無線ＬＡＮのインフラは、例えば東京電力が提供する「スピードネット」を用いることができる。この「スピードネット」は、東京電力のファイバー網と電柱に設置された無線アンテナにより、定額にてＡＤＳＬと略同等のデータ転送速度のサービスを提供するものである。なお、無線アンテナから５０〜３００ｍの範囲において無線ＬＡＮによる通信を行うことが可能である。この場合、無線アンテナを設置する場所に無線ＬＡＮ通信機器５１，５３を設置することにより、「スピードネット」のインフラを用いて無線ＬＡＮ通信システム５０を構築することができる。
【００３５】
なお、モバイルインターネットサービス株式会社（ＭＩＳ）が提供する無線ＬＡＮによる通信サービスを本実施形態における無線ＬＡＮのインフラとして用いるようにしてもよい。
【００３６】
図２はデジタルカメラ３の構成を示す概略ブロック図、図３はデジタルカメラ３の背面側斜視図である。図２および図３に示すように、デジタルカメラ３は、撮像により被写体の画像を表す画像データＳ２を取得する撮像手段２１と、デジタルカメラ３全体の制御を行うとともに画像データＳ０，Ｓ２の記録制御、通信制御、表示制御、画像データＳ０，Ｓ２の注文内容を記述した注文情報Ｃの生成等を行う制御手段２２と、表示のために画像データＳ０，Ｓ２を記憶するフレームメモリ２３と、レリーズボタン２４Ａや通信ボタン、送信ボタン、十字キー２４Ｂ、電話番号を入力するための数字キー、撮影時においてプリント注文を行うために後述する送信先に後述する選択画像データＳ１を送信する旨を確定する転送確定ボタン２４Ｃ等を有する入力手段２４と、画像データをＪＰＥＧに代表される手法で圧縮したり、圧縮したデータを解凍する処理を行う圧縮解凍手段２５と、画像データＳ０，Ｓ２等種々の情報を表示する液晶モニタ等からなる表示手段２６と、画像データＳ０，Ｓ２および後述するように選択またはキャプチャされることにより取得された選択画像データＳ１を記憶するデータメモリ２８と、画像データＳ０の受信および後述するように選択画像データＳ１を送信する際に無線ＬＡＮ通信機器５１，５３およびネットワークプリントシステムの無線ＬＡＮ通信機器と通信を行うための通信チップ４を接続するための通信インターフェース２９と、画像データＳ０，Ｓ２を着脱可能な記録媒体３０に記録したり読み出したりするためにデータを変換する記録媒体インターフェース３１とを備える。
【００３７】
通信チップ４は、定点カメラ２において取得された画像データＳ０を受信すべく、無線ＬＡＮ通信機器５１，５３と無線ＬＡＮによるデータ通信を行うとともに、後述するネットワークプリントシステムにおける無線ＬＡＮ通信機器に選択画像データＳ１を送信すべく、無線ＬＡＮによるデータ通信を行う通信手段４１と、無線ＬＡＮ通信機器５１，５３との通信時に必要な認証情報Ｎおよびネットワークプリントシステムにおける無線ＬＡＮ通信機器との通信時に必要な認証情報Ｎ１を記憶した認証情報記憶手段４２と、選択画像データＳ１の送信先のＵＲＬを記憶した送信先記憶手段４３とを備える。
【００３８】
撮像手段２１は、撮影レンズ、ズーム機構、シャッタ、ＣＣＤ等を有し、レリーズボタン２４Ａが押下されることによるシャッタの駆動により被写体を撮影して被写体の画像を表す画像データＳ２を取得する。また、画像データＳ０の受信中は、レリーズボタン２４Ａが押下されることにより、画像データＳ０の１シーンを表すフレームデータをキャプチャして、プリント注文を行うための選択画像データＳ１を取得する。
【００３９】
制御手段２２には、動作プログラム等が記憶されているＲＯＭと、プログラム実行時の作業領域となる記憶手段であるＲＡＭにより構成されているメモリ２２Ａが接続されている。なお、制御手段２２により、画像データＳ０を受信して表示するキャプチャリングモード、被写体の撮影を行う撮影モード、および後述するように選択画像データＳ１をネットワークプリントシステムに送信する注文モードに動作モードを切り換えることができる。この切り換えの指示は入力手段２４により行われる。
【００４０】
ここで、入力手段２４の転送確定ボタン２４Ｃは、撮像時において画像データＳ２を表示手段２６に表示した際に、撮影者であるデジタルカメラ３のユーザが、表示された画像のプリント注文を行いたい場合にユーザにより押下される。これにより、撮影直後にフレームメモリ２３に記憶された画像データＳ２は、選択画像データＳ１としてデータメモリ２８に記憶される。なお、プリント注文としてはプリント出力のみならず、ＣＤ−Ｒ等のメディアへの選択画像データＳ１の記録、後述するネットワークプリントシステムの画像サーバへの保管をも含む。
【００４１】
また、転送確定ボタン２４Ｃを押下すると、入力手段２４からの入力により、選択画像データＳ１に対する注文内容を設定することができる。例えば、選択画像データＳ１を後述するネットワークプリントシステムの画像サーバに保管したり、プリント出力したり、ＣＤ−Ｒ等のメディアに記録する旨を設定することができる。なお、注文内容をプリント出力とした場合には、ユーザによる入力手段２４からの入力により、プリントサイズ、枚数およびプリント種類（例えばポストカードプリント、アルバムプリント等）が注文内容として設定される。そして、注文内容が設定されると、注文内容を記述した注文情報Ｃが制御手段２２において生成され、これが選択画像データＳ１とともにデータメモリ２８に記憶される。なお、注文内容の設定は表示手段２６に表示される注文内容設定画面において行うことができる。また、注文情報Ｃは選択画像データＳ１毎に生成してもよいが、１つの注文情報Ｃのみを生成し、選択画像データＳ１を取得または選択する毎に、新たな選択画像データＳ１についての注文内容を１つの注文情報Ｃに追記してもよい。
【００４２】
なお、十字キー２４Ｂを上下に移動することにより、撮像手段２１の光学的な変倍操作を行うことができ、さらに、十字キー２４Ｂを上下に押下し続けることにより、光学的な変倍操作の範囲を超えて電子変倍操作を行うことができる。そしてこれにより所望とする倍率の画像を表示手段２６に表示することができる。
【００４３】
一方、定点カメラ２から送信された画像データＳ０の表示手段２６への表示中は、十字キー２４Ｂを上下に押下することにより、画像データＳ０の電子変倍操作のみを行うことができる。さらに、転送確定ボタン２４Ｃを押下しつつ十字キー２４Ｂを操作することにより、トリミング範囲の設定を行うことができる。
【００４４】
通信チップ４の通信手段４１は、通信システム５０の無線ＬＡＮ通信機器５１，５３および後述するネットワークプリントシステムにおける無線ＬＡＮ通信機器と無線ＬＡＮによるデータ通信を行うためのものであり、その通信速度は８〜１１Ｍｂｐｓ以上のものが用いられる。通信規格は無線ＬＡＮ通信機器５１，５３と同様にＩＥＥＥ８０２．１１ｂの規格に準拠している。
【００４５】
認証情報記憶手段４２には、通信手段４１が無線ＬＡＮ通信機器５１，５３との通信を行う際に必要な認証情報Ｎおよびネットワークプリントシステムの無線ＬＡＮ通信機器と通信を行う際に必要な認証情報Ｎ１が記憶されている。なお、認証情報Ｎは、デジタルカメラ３のユーザがイベント会場に入場する際に、料金の支払いと引き換えに紙等に記載されてユーザに渡される。そして、ユーザが入力手段２４から紙に記載された認証情報を入力することにより、認証情報記憶手段４２に認証情報Ｎが記憶される。
【００４６】
また、イベント会場１のみで認証が可能な認証情報Ｎが記憶された記録媒体３０をイベント会場１への入場時にデジタルカメラ３のユーザに渡し、記録媒体３０をデジタルカメラ３にセットさせることにより、認証情報Ｎを認証情報記憶手段４２に入力させるようにしてもよい。
【００４７】
また、本実施形態においては、通信チップ４がデジタルカメラ３に対して取り外し可能に取り付けられている。したがって、イベント会場１への入場時に、そのイベント会場１のみで認証が可能な認証情報Ｎが記憶された通信チップ（４′とする）をデジタルカメラ３のユーザに渡し、通信チップ４′を通信チップ４に代えてデジタルカメラ３にセットさせることにより、無線ＬＡＮによる通信の認証を行うようにしてもよい。
【００４８】
また、事前にデジタルカメラ３のユーザに認証情報Ｎを渡しておき、認証情報記憶手段４２に記憶させるようにしてもよい。
【００４９】
さらに、イベント会場１のみで認証が可能な認証情報Ｎが記憶された、ＵＳＢ等によりデジタルカメラ３と接続される外付け用の通信ユニットをデジタルカメラ３のユーザに渡し、ＵＳＢ接続された通信ユニットを用いて認証および画像データＳ０の受信を行うようにしてもよい。これにより、通信チップ４を有さないユーザであっても、デジタルカメラ３において画像データＳ０の受信を行うことができる。
【００５０】
認証情報Ｎ，Ｎ１としては、無線ＬＡＮ通信機器５１，５３およびネットワークプリントシステムの無線ＬＡＮ通信機器のＭＡＣアドレスに対応するＥＳＳ−ＩＤが用いられる。また、暗号化のためのＷＥＰが設定されてなる。また、このＷＥＰは無線ＬＡＮ通信機器５１，５３およびネットワークプリントシステムの無線ＬＡＮ通信機器と同一のものが用いられる。
【００５１】
送信先記憶手段４３には、選択画像データＳ１の送信先のＵＲＬが記憶される。具体的には後述するネットワークプリントシステムに設置された写真店のＵＲＬが記憶される。そして、選択画像データＳ１の送信時には、送信先記憶手段４３に記憶されたＵＲＬが参照されて、選択画像データＳ１が送信先に送信される。
【００５２】
なお、複数の送信先のＵＲＬを送信先記憶手段４３に記憶し、選択画像データＳ１の送信先をユーザに選択させるようにしてもよい。
【００５３】
このようなデジタルカメラ３においては、通信手段４１により無線ＬＡＮ通信機器５３から送信された画像データＳ０を受信して表示手段２６に表示し、これによりデジタルカメラ３のユーザは、定点カメラ２において撮像された画像をデジタルカメラ３において見ることができる。そして、所望とするシーンにおいてレリーズボタン２４Ａを押下することにより、そのシーンがキャプチャされ、そのシーンを表すフレームデータが選択画像データＳ１としてデータメモリ２８に記憶される。
【００５４】
次いで、本実施形態の動作について説明する。図４は本実施形態による撮像システムにおいて行われる処理を示すフローチャートである。なお、本実施形態においては、定点カメラ２が駆動され、画像データＳ０が定点カメラ２から無線ＬＡＮ通信システム５０の画像サーバ５２に送信されているものとする。また、デジタルカメラ３においては、動作モードがキャプチャリングモードに切り換えられているものとする。
【００５５】
まず、認証情報記憶手段４２に記憶された認証情報Ｎが、通信手段４１により無線ＬＡＮ通信システム５０の無線ＬＡＮ通信機器５３に送信される（ステップＳ１）。認証情報Ｎは無線ＬＡＮ通信機器５３により受信される（ステップＳ２）。無線ＬＡＮ通信機器５３においては、認証情報Ｎに基づいて認証情報Ｎを送信したデジタルカメラ３が、画像データＳ０の送信を許可されたものであるか否かの判定、すなわち認証ＯＫであるか否かの判定がなされる（ステップＳ３）。ステップＳ３が否定されると、通信が不成立として処理を終了する。一方、認証がなされると、定点カメラ２において取得された画像データＳ０が、デジタルカメラ３に送信される（ステップＳ４）。
【００５６】
なお、無線ＬＡＮ通信機器５３においては、認証情報Ｎを確認することにより、画像データＳ０を受信中のデジタルカメラ３の台数、各デジタルカメラ３についてのデータ転送量、接続時間、エラー状況等を画像サーバ５２に送信することができ、これにより、画像サーバ５２の管理者は、無線ＬＡＮ通信機器５３によるデータ通信状況の確認を行うことができる。
【００５７】
デジタルカメラ３においては、画像データＳ０が受信され（ステップＳ５）、表示手段２６に表示される（ステップＳ６）。この状態において、変倍操作、トリミング操作等の表示操作がなされたか否かが判定され（ステップＳ７）、ステップＳ７が肯定された場合には、表示操作が行われて（ステップＳ８）、ステップＳ６に戻り、表示操作がなされた画像が表示手段２６に表示される。
【００５８】
これにより、デジタルカメラ３のユーザは所望とする倍率を有する画像やトリミングされた画像をデジタルカメラ３の表示手段２６に表示することができる。なお、この際に行われる変倍操作は、画像データＳ０に対して行われる電子変倍操作である。ここで、電子変倍操作により画像を拡大すると、画質が劣化する。したがって、変倍操作における最大倍率を規定しておくことにより、表示手段２６に表示される画像の画質の劣化を防止することができる。
【００５９】
ステップＳ７が否定されると、レリーズボタン２４Ａが押下されたか否かが判定される（ステップＳ９）。ステップＳ９が否定されるとステップＳ６に戻り、ステップＳ６以降の処理が繰り返される。
【００６０】
ステップＳ９が肯定されると、表示手段２６に表示中のシーンがキャプチャされ（ステップＳ１０）、そのシーンを表す画像データＳ０がプリント注文を行う選択画像データＳ１としてデータメモリ２８に記憶される（ステップＳ１１）。そして、電源がオフとされたか否かが判定され（ステップＳ１２）、ステップＳ１２が肯定されると処理を終了する。ステップＳ１２が否定されるとステップＳ６に戻り、ステップＳ６以降の処理が繰り返される。
【００６１】
なお、選択画像データＳ１のデータメモリ２８への記憶後、選択画像データＳ１のプリント枚数、サイズ等の注文内容を記述した注文情報Ｃの生成が行われる。注文情報Ｃは選択画像データＳ１と同様にデータメモリ２８に記憶される。
【００６２】
このように、本実施形態においては、イベント会場１のような特定エリア内においてのみ通信可能な無線ＬＡＮにより、定点カメラ２において取得された画像データＳ０をデジタルカメラ３に送信するようにしたため、イベント会場１内の不特定多数のユーザが有するデジタルカメラ３に定点カメラ２において取得した画像データＳ０を表示することができる。
【００６３】
また、デジタルカメラ３において画像データＳ０を表示した際に、デジタルカメラ３において撮影を行う場合と同様の操作により、キャプチャリングを行って選択画像データＳ１をデータメモリ２８に記憶しているため、デジタルカメラ３のユーザはあたかも自分で撮影を行っているかのように、定点カメラ２において取得された画像データＳ０の１シーンを、選択画像データＳ１として取得することができる。
【００６４】
また、デジタルカメラ３において表示手段２６に表示された画像の表示操作を行うことにより、デジタルカメラ３のユーザが所望とする倍率を有する画像や、トリミングされた画像を表示手段２６に表示することができる。
【００６５】
なお、上述したようにデジタルカメラ３においてデータメモリ２８に記憶された選択画像データＳ１は、ネットワークプリントシステムに無線ＬＡＮにより送信されて、プリント注文が行われる。以下、デジタルカメラ３において取得した選択画像データＳ１についてプリント注文時に行われる処理について説明する。
【００６６】
図５はネットワークプリントシステムの構成を示す概略ブロック図である。図５に示すように、ネットワークプリントシステム１０は、デジタルカメラ３において撮像により取得された選択画像データＳ１についてのプリントサービスを提供するものである。
【００６７】
図５に示すようにネットワークプリントシステム１０は、ブロードバンドタウン１０Ａ、ブロードバンドホットスポット１０Ｂ、およびブロードバンドサテライト１０Ｃを備える。なお、ネットワークプリントシステム１０は、複数のブロードバンドホットスポット１０Ｂ、および複数のブロードバンドサテライト１０Ｃを備えるものであってもよい。
【００６８】
ブロードバンドタウン１０Ａは、選択画像データＳ１を保管する大容量の画像サーバ１１Ａと、選択画像データＳ１に基づいてプリントＰを生成したり、選択画像データＳ１をＣＤ−Ｒ等のメディアに記録するミニラボ１２Ａと、複数の無線ＬＡＮ通信機器１３Ａとが有線ＬＡＮによりネットワーク接続されてなり、写真店１４がサービスを提供可能な地域に設置されるものである。
【００６９】
なお、画像サーバ１１Ａおよびミニラボ１２Ａは、ネットワークプリントシステム１０を運営する写真店１４に設置されてなるものである。
【００７０】
ミニラボ１２Ａは、後述するようにデジタルカメラ３から送信された注文情報Ｃに記述された注文内容に基づいて、画像サーバ１１Ａに保管された選択画像データＳ１を読み出してプリントＰを生成したり、読み出した選択画像データＳ１をＣＤ−Ｒ、ＤＶＤ−Ｒ等のメディアに記録する。このため、ミニラボ１２Ａには、選択画像データＳ１に対して画像処理を施す画像処理手段、プリンタ、メディアドライブ等が設置されてなる。
【００７１】
無線ＬＡＮ通信機器１３Ａは、ネットワークプリントシステム１０を運営する写真店１４がサービスを提供可能な地域内の各所に設置される。例えば、駅、バス停、役所、銀行、コンビニエンスストア、ファーストフード店、繁華街の中心地等、人が立ち寄ることが多い場所やインターネットカフェ等に設置される。
【００７２】
ここで、無線ＬＡＮ通信機器１３Ａとしては、無線ＬＡＮ通信機器５１，５３と同様の規格を有するものを用いることができる。
【００７３】
なお、無線ＬＡＮ通信機器１３Ａの設置場所の近傍、すなわち無線ＬＡＮ通信機器１３Ａの通信可能エリア内に、デジタルカメラ３の充電を行うとともに、デジタルカメラ３からデータを読み出して無線ＬＡＮ通信機器１３Ａに送信する通信機能を有するクレイドル１７を設置してもよい。クレイドル１７は、デジタルカメラ３に充電を行うとともに、データメモリ２８から選択画像データＳ１を読み出す端子１７Ａと、無線ＬＡＮ通信機器１３Ａとの通信を行う通信手段１７Ｂとを備える。ここで、通信手段１７Ｂには、認証情報記憶手段および送信先記憶手段が設けられる。なお、クレイドル１７はデジタルカメラ３を充電するために１００Ｖ電源に接続されてなる。
【００７４】
このようなクレイドル１７を設けることにより、通信チップ４を有さないデジタルカメラ３からも選択画像データＳ１を無線ＬＡＮ通信機器１３Ａに送信できることとなる。とくに、クレイドル１７がデジタルカメラ３のユーザの自宅にあり、かつユーザの自宅が無線ＬＡＮ通信機器１３Ａの通信可能エリア内にある場合には、必ず行うデジタルカメラ３の充電中に選択画像データＳ１を無線ＬＡＮ通信機器１３Ａに送信することができる。ここで、デジタルカメラ３の充電は必須のものであるため、充電中に選択画像データＳ１を送信するようにすれば、デジタルカメラ３のユーザは日々必ず行う作業の中で、とくに選択画像データＳ１を送信するための操作を行わなくても画像データを送信することができる。したがって、選択画像データＳ１の送信のためのユーザの負担を軽減することができる。
【００７５】
ブロードバンドホットスポット１０Ｂは、選択画像データＳ１を一時的に保管する、画像サーバ１１Ａよりも容量が小さい画像サーバ１１Ｂと、無線ＬＡＮ通信機器１３Ａと同様の機能を有する無線ＬＡＮ通信機器１３Ｂとが有線ＬＡＮによりネットワーク接続されてなるものである。また、ブロードバンドホットスポット１０Ｂはブロードバンドタウン１０Ａと有線ＬＡＮによりネットワーク接続されている。このブロードバンドホットスポット１０Ｂは、ネットワークプリントシステム１０を運営する写真店１４がプリントサービスを提供する地域から離れた遠隔地に設置されるものであり、例えば、写真店１４が小田原に存在する場合、東京ディズニーランドやユニバーサルスタジオジャパン等の小田原から遠隔地にあるテーマパーク、全国各地の観光地、隣町の繁華街、空港、全国各地の主要駅、ファーストフード店、高速道路のサービスエリア等に設置される。
【００７６】
なお、無線ＬＡＮ通信機器１３Ｂを複数設けてもよく、さらに、ブロードバンドタウン１０Ａと同様に、無線ＬＡＮ通信機器１３Ｂの近傍にクレイドル１７を設置してもよい。
【００７７】
ブロードバンドサテライト１０Ｃは、選択画像データＳ１を一時的に保管する画像サーバ１１Ａよりも容量が小さい画像サーバ１１Ｃと、選択画像データＳ１に基づくプリントＰを生成するミニラボ１２Ｃと、無線ＬＡＮ通信機器１３Ａと同様の機能を有する無線ＬＡＮ通信機器１３Ｃとが有線ＬＡＮによりネットワーク接続されてなるものである。また、ブロードバンドサテライト１０Ｃはブロードバンドタウン１０Ａと有線ＬＡＮによりネットワーク接続されている。このブロードバンドサテライト１０Ｃはブロードバンドホットスポット１０Ｂと同様に、ネットワークプリントシステム１０を運営する写真店１４がサービスを提供する地域から離れた遠隔地に設置されるものである。
【００７８】
また、ブロードバンドサテライト１０Ｃはミニラボ１２Ｃを有するため、遠隔地において選択画像データＳ１を受信して、直ちにプリントＰを生成することができる。但し、ミニラボ１２Ｃはブロードバンドタウン１０Ａの写真店１４に設置されるミニラボ１２Ａと比較して小規模であり、例えばＬサイズプリントのみしか生成することができないものである。このため、ミニラボ１２Ｃには転送部１５が設けられており、この転送部１５により注文情報Ｃに記述された注文内容がミニラボ１２Ｃにおいて処理可能なものであるか否かが判定される。そして、注文情報Ｃに記述された注文内容が、ミニラボ１２Ｃにおいて処理可能である場合にのみ、ミニラボ１２ＣにおいてプリントＰが生成される。逆に、注文情報Ｃに記述された注文内容がミニラボ１２Ｃにおいて処理できないものである場合には、ブロードバンドサテライト１０Ｃにおいて受信した注文情報Ｃおよび選択画像データＳ１が、転送部１５によりブロードバンドタウン１０Ａの写真店１４に送信されて、ここでプリントＰの生成が行われる。
【００７９】
なお、ブロードバンドサテライト１０Ｃにおいては、無線ＬＡＮ通信機器１３Ｃを複数設けてもよく、さらに、ブロードバンドタウン１０Ａと同様に、無線ＬＡＮ通信機器１３Ｃの近傍にクレイドル１７を設置してもよい。
【００８０】
そして、無線ＬＡＮ通信機器１３Ａ〜１３Ｃの通信可能エリア内にデジタルカメラ３のユーザが移動し、通信手段４１が無線ＬＡＮ通信機器１３Ａ〜１３Ｃと通信可能となると、制御手段２２により通信チップ４の認証情報記憶手段４２から認証情報（ここではイベント会場１のものとは異なるＮ１）が読み出されて、通信手段４１を介して選択画像データＳ１を送信先記憶手段４３に記憶された送信先である画像サーバ１１Ａに送信するように、無線ＬＡＮ通信機器１３Ａ〜１３Ｃに送信される。無線ＬＡＮ通信機器１３Ａ〜１３Ｃにおいては、認証情報Ｎ１を送信したデジタルカメラ３が、写真店１４が運営するネットワークプリントシステム１０に登録されたものであるか否かの判定がなされる。そして、この判定が肯定されることにより認証がなされると、制御手段２２により、データメモリ２８に記録された選択画像データＳ１が注文情報Ｃとともに、通信手段４１を介して無線ＬＡＮ通信機器１３Ａ〜１３Ｃに送信される。
【００８１】
次いで、デジタルカメラ３からの選択画像データＳ１の送信時において行われる処理について説明する。図６は選択画像データＳ１の送信時において行われる処理を示すフローチャートである。なお、デジタルカメラ３の選択画像データＳ１の送信時においては、ブロードバンドタウン１０Ａ、ブロードバンドホットスポット１０Ｂ、およびブロードバンドサテライト１０Ｃのいずれにおいても行われる処理は同一であるため、ここではデジタルカメラ３からブロードバンドタウン１０Ａに選択画像データＳ１を送信する場合の処理についてのみ説明する。
【００８２】
また、以降の説明においては、デジタルカメラ３においては、無線ＬＡＮ通信機器１３Ａと通信を行うために必要な認証情報Ｎ１が既に取得されて認証情報記憶手段４２に記憶されてなり、イベント会場１における画像のキャプチャや撮像により複数の選択画像データＳ１が取得され、複数の選択画像データＳ１についての注文情報Ｃも生成されてデータメモリ２８に記憶されて、選択画像データＳ１の転送準備が完了しているものとする。また、デジタルカメラ３の動作モードは注文モードに切り換えられているものとする。
【００８３】
まず、デジタルカメラ３においては、制御手段２２により通信チップ４の通信手段４１がブロードバンドタウン１０Ａにおける無線ＬＡＮ通信機器１３Ａと通信可能なエリア内にあるか否かが監視されており（ステップＳ２１）、ステップＳ２１が肯定されると、制御手段２２により認証情報記憶手段４２に記憶された認証情報Ｎ１が読み出されて、通信手段４１を介して無線ＬＡＮ通信機器１３Ａに認証情報Ｎ１が送信される（ステップＳ２２）。
【００８４】
なお、クレイドル１７にデジタルカメラ３をセットして選択画像データＳ１の送信を行う場合には、デジタルカメラ３のユーザがクレイドル１７にデジタルカメラ３をセットすると、通信手段１７Ｂの認証情報記憶手段に記憶された認証情報Ｎ１が読み出されて、クレイドル１７に対応する無線ＬＡＮ通信機器１３Ａに認証情報Ｎ１が送信される。
【００８５】
認証情報Ｎ１は無線ＬＡＮ通信機器１３Ａにより受信される（ステップＳ２３）。無線ＬＡＮ通信機器１３Ａにおいては、認証情報Ｎ１に基づいて認証情報Ｎ１を送信したデジタルカメラ３が、写真店１４が運営するネットワークプリントシステム１０に登録されたものであるか否かの判定、すなわち認証ＯＫであるか否かの判定がなされる（ステップＳ２４）。ステップＳ２４が否定されると、通信が不成立として処理を終了する。一方、認証がなされると、その旨を表す情報がデジタルカメラ３に送信される（ステップＳ２５）。
【００８６】
デジタルカメラ３においては情報が受信され（ステップＳ２６）、制御手段２２により、注文情報Ｃおよび選択画像データＳ１がデータメモリ２８から読み出され、さらに送信先記憶手段４３に記憶された送信先のＵＲＬへ選択画像データＳ１を送信するよう、選択画像データＳ１および注文情報Ｃが無線ＬＡＮ通信機器１３Ａに送信される（ステップＳ２７）。なお、選択画像データＳ１は例えば撮影日時が古いものから順に無線ＬＡＮ通信機器１３Ａに送信される。
【００８７】
無線ＬＡＮ通信機器１３Ａにおいては、注文情報Ｃおよび選択画像データＳ１が受信され（ステップＳ２８）、さらに送信先のＵＲＬに基づいて画像サーバ１１Ａに送信されここで注文情報Ｃおよび選択画像データＳ１が保管される（ステップＳ２９）。
【００８８】
その一方で、デジタルカメラ３においては、データメモリ２８に記録された全ての選択画像データＳ１の送信が完了したか否かが判定され（ステップＳ３０）、ステップＳ３０が肯定されると処理を終了する。なお、送信された選択画像データＳ１は送信された順にデータメモリ２８から削除される。ステップＳ３０が否定されると、デジタルカメラ３のユーザが移動している可能性を考慮して、通信手段４１が無線ＬＡＮ通信機器１３Ａの通信可能エリア内にあるか否かが判定される（ステップＳ３１）。ステップＳ３１が肯定されるとステップＳ２７に戻り、さらに選択画像データＳ１の送信が続けられる。ステップＳ３１が否定されると、未送信の選択画像データＳ１がデータメモリ２８に残っている旨を表す未送信情報が生成され、これがデータメモリ２８に記録され（ステップＳ３２）、ステップＳ２１に戻る。なお、未送信情報を生成する際には、ビープ音等の音声により未送信の選択画像データＳ１がデータメモリ２８に残っている旨をユーザに知らせるようにしてもよい。
【００８９】
ここで、デジタルカメラ３のユーザは、データメモリ２８に未送信情報が記録されているか否かを確認し、未送信情報が記録されている場合には、全ての選択画像データＳ１が送信されていないことを知ることができる。この場合、デジタルカメラ３のユーザは、無線ＬＡＮ通信機器１３Ａと通信可能なエリアに移動して、未送信の選択画像データＳ１の送信を行えばよい。
【００９０】
一方、無線ＬＡＮ通信機器１３Ａにおいては、データメモリ２８に記憶された全ての選択画像データＳ１が受信されたか否かが判定され（ステップＳ３３）、ステップＳ３３が肯定されると、選択画像データＳ１の受信が完了した旨の電子メールがデジタルカメラ３に送信され（ステップＳ３４）、処理を終了する。なお、ステップＳ３３が否定された場合にはステップＳ２８に戻り、選択画像データＳ１の受信が引き続き行われる。
【００９１】
デジタルカメラ３のユーザは、この電子メールにより、選択画像データＳ１のブロードバンドタウン１０Ａ経由での画像サーバ１１Ａへの送信が確実に行われたことを知ることができる。
【００９２】
次いで、ネットワークプリントシステム１０において選択画像データＳ１の受信後に行われる処理について説明する。図７は、ブロードバンドタウン１０Ａにおいて選択画像データＳ１の受信後に行われる処理を示すフローチャートである。なお、本実施形態においてはデジタルカメラ３のユーザが選択画像データＳ１のプリント出力を注文内容として注文情報Ｃに記述したものとする。なお、ブロードバンドホットスポット１０Ｂに選択画像データＳ１を送信した場合には、ブロードバンドホットスポット１０Ｂの画像サーバ１１Ｂに選択画像データＳ１が一時的に保管された後、送信先のＵＲＬに基づいてブロードバンドタウン１０Ａの画像サーバ１１Ａに選択画像データＳ１が送信される。
【００９３】
画像サーバ１１Ａはミニラボ１２Ａにより定期的にアクセスされ、ミニラボ１２Ａにより新たな選択画像データＳ１が画像サーバ１１Ａに保管されたか否かが判定される（ステップＳ４１）。新たな選択画像データＳ１が保管されている場合にはステップＳ４１が肯定され、その新たな選択画像データＳ１とともに送信された注文情報Ｃがミニラボ１２Ａに読み出される（ステップＳ４２）。
【００９４】
そして注文情報Ｃに記述された注文内容に基づいて、画像サーバ１１Ａから選択画像データＳ１が読み出され、必要な画像処理が施された後プリント出力される（ステップＳ４３）。具体的には、注文内容に示されたサイズ、枚数、プリント種類に応じて選択画像データＳ１のプリント出力が行われる。そしてプリント出力が完了すると、写真店１４における受け付け番号とともに、プリントが完了した旨を表す電子メールがデジタルカメラ３のユーザに送信され（ステップＳ４４）、処理を終了する。
【００９５】
デジタルカメラ３のユーザは、電子メールにより、送信した選択画像データＳ１についてのプリントが完了した旨を知り、写真店１４にプリントＰを取りに出かけることができる。この際、電子メールとともに送信された受け付け番号によりユーザの認証が行われて、プリントＰがユーザに渡される。なお、デジタルカメラ３のユーザと写真店１４との契約により、プリントＰをユーザに配送することになっている場合には、予め登録された配送先（例えばユーザの住所）にプリントＰが配送される。
【００９６】
なお、プリント料金の決済は、ユーザと写真店１４との間で行ってもよいが、デジタルカメラ３のユーザは無線ＬＡＮによる通信を行うための通信料金をプロバイダに支払っている。したがって、ユーザとプロバイダとの間で写真店１４への決済を行うようにしてもよい。この場合、プロバイダは独自の割引サービスをユーザに提供しているが、写真店１４への利用状況にも応じてさらに通信料金を割り引く等の写真店１４を介したさらなる割引サービスをユーザに提供することも可能となる。
【００９７】
図８は、ブロードバンドサテライト１０Ｃにおいて選択画像データＳ１の受信後に行われる処理を示すフローチャートである。なお、ここでもデジタルカメラ３のユーザが選択画像データＳ１のプリント出力を注文内容として注文情報Ｃに記述したものとする。
【００９８】
デジタルカメラ３のユーザが、ブロードバンドサテライト１０Ｃに選択画像データＳ１を送信する場合とは、ユーザがブロードバンドサテライト１０Ｃが設置された出先にいる場合である。このため、ユーザは出先に出かける際に、送信先記憶手段４３に、ブロードバンドサテライト１０Ｃの画像サーバ１１ＣのＵＲＬを記憶しておき、選択画像データＳ１の送信先としてブロードバンドサテライト１０Ｃの画像サーバ１１Ｃを選択することにより、選択画像データＳ１がブロードバンドサテライト１０Ｃの画像サーバ１１Ｃに送信され、ここで保管されることとなる。なお、送信先の選択は、表示手段２６に送信先を表示し、入力手段２４により送信先を選択することにより行われる。
【００９９】
画像サーバ１１Ｃはミニラボ１２Ｃにより定期的にアクセスされ、ミニラボ１２Ｃにより新たな選択画像データＳ１が画像サーバ１１Ｃに保管されたか否かが判定される（ステップＳ５１）。新たな選択画像データＳ１が保管されている場合にはステップＳ５１が肯定され、その新たな選択画像データＳ１とともに送信された注文情報Ｃがミニラボ１２Ｃに読み出される（ステップＳ５２）。
【０１００】
そして、転送部１５により注文情報Ｃに記述された注文内容がミニラボ１２Ｃにおいて処理可能なものであるか否かが判定され（ステップＳ５３）、ステップＳ５３が肯定されると、画像サーバ１１Ｃから選択画像データＳ１が読み出され、必要な画像処理が施された後、注文情報Ｃに記述された注文内容に基づいて選択画像データＳ１がプリント出力される（ステップＳ５４）。具体的には、注文内容に示されたサイズ、枚数、プリント種類に応じて選択画像データＳ１のプリント出力が行われる。そしてプリント出力が完了すると、ブロードバンドサテライト１０Ｃにおける受け付け番号とともに、プリントが完了した旨を表す電子メールがデジタルカメラ３のユーザに送信され（ステップＳ５５）、処理を終了する。
【０１０１】
デジタルカメラ３のユーザは、電子メールにより、送信した選択画像データＳ１についてのプリントが完了した旨を知り、ブロードバンドサテライト１０ＣにプリントＰを取りに出かけることができる。この際、電子メールとともに送信された受け付け番号によりユーザの認証が行われて、プリントＰがユーザに渡される。なお、デジタルカメラ３のユーザと写真店１４との契約により、プリントＰをユーザに配送することになっている場合には、予め登録された配送先（例えばユーザの住所）にプリントＰが配送される。
【０１０２】
ここで、ブロードバンドサテライト１０Ｃは、テーマパーク等のデジタルカメラ３のユーザの出先に設置されているため、ユーザはイベント会場１において取得した選択画像データＳ１のプリントＰを、出先において直ちに受け取ることができることとなる。
【０１０３】
一方、ステップＳ５３が否定された場合には、注文内容がミニラボ１２Ｃにおいて処理できないことから、転送部１５において、注文情報Ｃおよび選択画像データＳ１が写真店１４の画像サーバ１１Ａに送信される（ステップＳ５６）。そして、デジタルカメラ３のユーザが送信した選択画像データＳ１のプリントが写真店１４で行われることになった旨を表す電子メールがユーザに送信され（ステップＳ５７）、処理を終了する。
【０１０４】
電子メールを受け取ったユーザは、送信した選択画像データＳ１が写真店１４で行われることになった旨を知ることができる。
【０１０５】
なお、上記第１の実施形態においては、定点カメラ２により取得された画像データＳ０をデジタルカメラ３に表示し、必要であればレリーズボタン２４Ａを押下することにより画像データＳ０をキャプチャして選択画像データＳ１を得、これをデータメモリ２８に記憶しているが、送信される画像データＳ０をそのまま動画像データとしてデータメモリ２８に記憶してもよい。
【０１０６】
また、上記実施形態においては、定点カメラ２により取得された画像データＳ０をデジタルカメラ３に表示しているが、ＰＤＡや携帯電話等の携帯端末装置においても通信チップ４のような無線ＬＡＮによる通信を行う手段を設けることにより、携帯端末装置の表示画面に定点カメラ２において取得された画像データＳ０を表示することができる。とくに、ＰＤＡの場合、デジタルカメラ３は携帯電話と比較して表示画面が大きいため、定点カメラ２において取得された画像データＳ０をより大きい画面において楽しむことができる。また、変倍機能を設けることにより、表示中の画像を拡大することができるため、イベント会場１において贔屓の俳優やキャラクタの画像を拡大して楽しむことができる。
【０１０７】
また、上記実施形態においては、イベント会場１に複数の定点カメラ２を設置してもよい。この場合、複数の画像データＳ０をデジタルカメラ３において受信できるが、デジタルカメラ３において画像データＳ０を受信する定点カメラ２を選択できるようにすることが好ましい。
【０１０８】
なお、定点カメラ２のアングルは必ずしも壇上１Ａに向いている必要はなく、客席を向いていてもよい。この場合、イベントを楽しむユーザ自身の様子をデジタルカメラ３において見ることができる。
【０１０９】
また、上記実施形態においては、イベント会場１に設置された定点カメラ２により取得された画像データＳ０をデジタルカメラ３において受信して表示しているが、例えば、観光地の撮影ポイントに設置された定点カメラを用いて撮影者であるユーザ自身の撮影を行うような場合にも、本発明を適用することができる。以下、これを本発明の他の実施形態として説明する。
【０１１０】
図９は本発明の他の実施形態による撮像システムの構成を示す概略ブロック図である。図９に示すように、本発明の他の実施形態による撮像システムは、観光地の撮影ポイント７に設置されるものであり、撮影ポイント７を向いた場所においてデジタルカメラ３のユーザの撮影を行うべく設置された定点カメラ８によりユーザを撮像して画像データＳ０を取得し、これをユーザが有するデジタルカメラ３に送信して、デジタルカメラ３において画像データＳ０を表示するようにしたものである。
【０１１１】
ここで、デジタルカメラ３には、イベント会場１に設置された定点カメラ２から送信された画像データＳ０を受信するキャプチャリングモードと、撮影ポイント７に設置された定点カメラ８から送信された画像データ（Ｓ３とする）を受信するキャプチャリングモードとが切り換え可能とされている。なお、以降の説明においては、前者を第１のキャプチャリングモード、後者を第２のキャプチャリングモードと称する。
【０１１２】
撮影ポイント７において定点カメラ８を用いて撮影を行う場合、デジタルカメラ３のユーザによりデジタルカメラ３が第２のキャプチャリングモードに切り換えられる。この第２のキャプチャリングモードにおいては、レリーズボタン２４Ａが押下されることにより、画像データＳ３の１シーンを表すフレームデータがキャプチャされて、選択画像データＳ１が取得される。
【０１１３】
定点カメラ８は撮影ポイント７において撮影を行おうとしているユーザのみを撮影するものである。このため、ユーザのデジタルカメラ３を用いて定点カメラ８の操作を行うことができる。具体的には、十字キー２４Ｂを上下に移動することにより、定点カメラ８の光学的な変倍操作を行うことができ、さらに、十字キー２４Ｂを上下に押下し続けることにより、光学的な変倍操作の範囲を超えて電子変倍操作を行うことができる。そしてこれにより所望とする倍率の画像を表示手段２６に表示することができる。
【０１１４】
また、転送確定ボタン２４Ｃを押下しつつ十字キー２４Ｂを操作することにより、定点カメラ８自体のパン操作やチルト操作を行うことができる。
【０１１５】
そして、ユーザは、撮影ポイント７において、定点カメラ８の撮影可能な範囲に立ち、表示手段２６に定点カメラ８から送信される画像データＳ３を表示しつつ、デジタルカメラ３を操作して定点カメラ８のアングルや表示倍率を設定し、デジタルカメラ３のレリーズボタン２４Ａを押下することにより、画像データＳ３の１シーンを表すフレームデータをキャプチャして、選択画像データＳ１を得ることができる。
【０１１６】
このように、デジタルカメラ３を、イベント会場１に設置された定点カメラ２により取得された画像データＳ２を受信する第１のキャプチャリングモードおよび観光地の撮影ポイント７に設置された定点カメラ８により取得された画像データＳ３を受信する第２のキャプチャリングモードを切り換え可能とすることにより、臨機応変に画像データＳ２，Ｓ３を受信して、選択画像データＳ１を取得することができる。
【図面の簡単な説明】
【図１】本発明の実施形態による撮像システムの構成を示す概略ブロック図
【図２】デジタルカメラの構成を示す概略ブロック図
【図３】デジタルカメラの背面側斜視図
【図４】本実施形態による撮像システムにおいて行われる処理を示すフローチャート
【図５】ネットワークプリントシステムの構成を示す概略ブロック図
【図６】選択画像データの送信時において行われる処理を示すフローチャート
【図７】ブロードバンドタウンにおいて選択画像データの受信後に行われる処理を示すフローチャート
【図８】ブロードバンドサテライトにおいて選択画像データの受信後に行われる処理を示すフローチャート
【図９】本発明の他の実施形態による撮像システムの構成を示す概略ブロック図
【符号の説明】
１　　イベント会場
２，８　　定点カメラ
３　　デジタルカメラ
４　　通信チップ
１０　　ネットワークプリントシステム
１０Ａ　　ブロードバンドタウン
１０Ｂ　　ブロードバンドホットスポット
１０Ｃ　　ブロードバンドサテライト
１１Ａ〜１１Ｃ，５２　　画像サーバ
１２Ａ，１２Ｃ　　ミニラボ
１３Ａ〜１３Ｃ，５１，５３　　無線ＬＡＮ通信機器
１４　　写真店
１５　　転送部
２１　　撮像手段
２２　　制御手段
２２Ａ　　メモリ
２３　　フレームメモリ
２４　　入力手段
２４Ａ　　レリーズボタン
２４Ｂ　　十字キー
２４Ｃ　　転送確定ボタン
２５　　圧縮解凍手段
２６　　表示手段
２８　　データメモリ
２９　　通信インターフェース
３０　　記録媒体
３１　　記録媒体インターフェース
４１　　通信手段
４２　　認証情報記憶手段
４３　　送信先記憶手段
５０　　無線ＬＡＮ通信システム
【図１】
2004064424.tif 000003
【図２】
2004064424.tif 000004
【図３】
2004064424.tif 000005
【図４】
2004064424.tif 000006
【図５】
2004064424.tif 000007
【図６】
2004064424.tif 000008
【図７】
2004064424.tif 000009
【図８】
2004064424.tif 000010
【図９】
2004064424.tif 000011